(57)【特許請求の範囲】
【請求項１】
間隔を置いて設置された建物ユニット間の離し置きスペースの上方に配置される屋根パネルの取付け構造であって、
前記建物ユニットの構造体上部と前記屋根パネルの主構造体となるパネル本体部との間に、前記構造体上部と略平行な第１側面と、前記パネル本体部と略平行な第２側面と、前記第１側面の側部とそれに対向する前記第２側面の側部とを両側でそれぞれ繋ぐ連結側面とを備えた連結金具が介在される構造において、
前記連結金具との接合がおこなわれる前記パネル本体部の隅角部は、前記連結金具を介在させる側の内側面に沿って取り付けられる座金片と、その座金片に略直交する内側面に取り付けられる接合片とを有する補強プレートによって補強されていることを特徴とする屋根パネルの取付け構造。
【請求項２】
前記構造体上部と前記第１側面及び前記パネル本体部と前記第２側面とは、それぞれボルト接合されることを特徴とする請求項１に記載の屋根パネルの取付け構造。
【請求項３】
前記座金片及び接合片は、それぞれ溶接によって内側面に接合されることを特徴とする請求項１又は２に記載の屋根パネルの取付け構造。
【請求項４】
前記パネル本体部と前記補強プレートを貫通するボルトによって前記第２側面との接合がおこなわれることを特徴とする請求項１乃至３のいずれか一項に記載の屋根パネルの取付け構造。
【請求項５】
前記構造体上部と前記第１側面との間又は前記パネル本体部と前記第２側面との間の少なくとも一箇所に、板状のスペーサを介在させることを特徴とする請求項１乃至４のいずれか一項に記載の屋根パネルの取付け構造。
【請求項６】
請求項１乃至５のいずれか一項に記載の屋根パネルの取付け構造によって配置された前記屋根パネルの前記パネル本体部の軒先側には、庇部が取り付けられることを特徴とする屋根構造。
【請求項７】
前記庇部は、前記構造体上部から延設された持出しアームによって側縁が支持されることを特徴とする請求項６に記載の屋根構造。
【請求項８】
請求項１乃至５のいずれか一項に記載の屋根パネルの取付け構造によって配置された前記屋根パネルの上に屋外設備を設置することを特徴とする屋根構造。
【発明の詳細な説明】
【技術分野】
【０００１】
本発明は、間隔を置いて設置された建物ユニット間の離し置きスペースの上方に架け渡される屋根パネルの取付け構造、及びそれを備えた屋根構造に関するものである。
【背景技術】
【０００２】
工場で製作された複数の建物ユニットを、横方向及び縦方向に連結して構築するユニット建物が知られている。また、間隔を置いて建物ユニットを設置し、その建物ユニット間の離し置きスペースに屋外階段などを配置するレイアウトが知られている（特許文献１−３参照）。
【０００３】
そして、特許文献１−３には、離し置きスペースの上方を覆う屋根パネル（又は屋根ユニット）を建物ユニット間に架け渡す構造が開示されている。すなわち、工場で製作されて現地まで搬送されてきた屋根パネル（又は屋根ユニット）をクレーンで吊り上げ、間隔を置いて据え付けられた建物ユニット間に設置することが記載されている。
【先行技術文献】
【特許文献】
【０００４】
【特許文献１】特開２００８−２５５７２３号公報
【特許文献２】特開平７−１８７４５号公報
【特許文献３】特開平８−１３６１２号公報
【発明の概要】
【発明が解決しようとする課題】
【０００５】
しかしながら、ユニット建物の階層が高くなるにつれ、高い精度で建物ユニットを設置することが要求されるようになり、屋根パネルと建物ユニットとの接合部においても、誤差の発生に備えたゆとり（遊び）が取りづらくなる。
【０００６】
また、太陽電池パネル等を屋根パネル上に設置できるようにするには、屋根パネル自体の耐力を高めるだけでなく、屋根パネルを建物ユニットに強固に固定して確実に支持させなければならない。
【０００７】
そこで、本発明は、屋根パネルを建物ユニットに強固に固定することができる屋根パネルの取付け構造、及びそれを備えた屋根構造を提供することを目的としている。
【課題を解決するための手段】
【０００８】
前記目的を達成するために、本発明の屋根パネルの取付け構造は、間隔を置いて設置された建物ユニット間の離し置きスペースの上方に配置される屋根パネルの取付け構造であって、前記建物ユニットの構造体上部と前記屋根パネルの主構造体となるパネル本体部との間に、前記構造体上部と略平行な第１側面と、前記パネル本体部と略平行な第２側面と、前記第１側面の側部とそれに対向する前記第２側面の側部とを両側でそれぞれ繋ぐ連結側面とを備えた連結金具が介在されることを特徴とする。
【０００９】
ここで、前記構造体上部と前記第１側面及び前記パネル本体部と前記第２側面とは、それぞれボルト接合されることが好ましい。また、前記パネル本体部の隅角部は補強プレートによって補強されており、その補強プレートが配置された箇所で前記連結金具との接合がおこなわれる構成とすることができる。例えば、前記パネル本体部と前記補強プレートを貫通するボルトによって前記第２側面と接合させることができる。
【００１０】
また、前記構造体上部と前記第１側面との間又は前記パネル本体部と前記第２側面との間の少なくとも一箇所に、板状のスペーサを介在させることができる。
【００１１】
さらに、本発明の屋根構造は、上記屋根パネルの取付け構造によって配置された前記屋根パネルの前記パネル本体部の軒先側に、庇部が取り付けられる構成とすることができる。
【００１２】
また、前記庇部は、前記構造体上部から延設された持出しアームによって側縁が支持される構成とすることができる。さらに、前記屋根パネルの上には、屋外設備を設置することができる。
【発明の効果】
【００１３】
このように構成された本発明の屋根パネルの取付け構造は、屋根パネルと建物ユニットとの間に連結金具を介在させる。そして、この連結金具は、建物ユニット側の第１側面と屋根パネル側の第２側面とが両側の連結側面によって繋がれた囲繞断面となっている。
【００１４】
このように屋根パネルと建物ユニットとの間に連結金具を介在させることで、誤差を吸収させ易くなる。また、側面が囲まれた連結金具は、板状の金具やＬ字形の金具に比べて剛性が高く、屋根パネルを建物ユニットに強固に固定することができる。
【００１５】
また、連結金具を建物ユニットと屋根パネルの双方にボルトによって接合する構成であれば、溶接接合に比べて簡単に接合作業をおこなうことができる。さらに、建物ユニットと屋根パネルのそれぞれに対して別個にボルト接合をおこなう構成であれば、建物ユニットに屋根パネルを直接接合する構成に比べて誤差を吸収させやすいので、接合作業を迅速におこなうことができる。
【００１６】
また、屋根パネルのパネル本体部の隅角部を補強プレートによって補強し、その補強された箇所に連結金具を接合するのであれば、連結金具の強度に見合う力を伝達させることができる。特に、パネル本体部と補強プレートを貫通するボルトによって接合をおこなうことで、直接、補強プレートに力を負担させることができる。
【００１７】
さらに、建物ユニットや屋根パネルと連結金具との間にスペーサを介在させる構成であれば、隙間の広さに合わせてスペーサを介在させるだけで、連結金具を建物ユニット及び屋根パネルに密着させた強固な連結にすることができる。
【００１８】
また、このような屋根パネルの取付け構造を備えた屋根構造は、屋根パネルの軒先側に庇部を取り付けることができる。また、建物ユニットから延設された持出しアームに庇部の側縁を支持させる構成であれば、張り出し量が大きな庇部を取り付けることができる。
【００１９】
そして、このように強固に屋根パネルを固定できる構造であれば、屋根パネルの上にも重量がある太陽光パネルなどの屋外設備を設置することが可能になり、隣接する建物ユニット上の屋根と屋根パネル上の屋根とを区別することなく屋外設備の配置が決められるので、屋上空間を有効に活用することができる。
【図面の簡単な説明】
【００２０】
【図１】本実施の形態の屋根パネルの取付け構造が設けられる離し置きスペースを備えたユニット建物を模式的に説明する平面図である。
【図２】建物ユニットの上部に連結金具を取り付ける工程を説明する斜視図である。
【図３】屋根パネルの構成を説明する平面図である。
【図４】建物ユニットと連結金具との隙間にスペーサを挿入するとともに屋根パネルと連結金具とをボルト接合する工程を説明する斜視図である。
【図５】建物ユニットに連結金具を介して屋根パネルを固定する箇所の構造を説明する断面図である。
【図６】図５のＢ−Ｂ矢視方向で見た平面図である。
【図７】庇部が取り付けられた屋根パネルの構成を説明する斜視図である。
【図８】持出しアームが延設された建物ユニットの上部に連結金具を取り付ける工程を説明する斜視図である。
【図９】図１のＡ−Ａ矢視方向で見た断面図である。
【図１０】見切り材の構成を説明する斜視図である。
【図１１】屋根パネルに固定された突出片と建物ユニットとの位置関係を説明する断面図である。
【発明を実施するための形態】
【００２１】
以下、本発明の実施の形態について図面を参照して説明する。図１は、本実施の形態の屋根パネル２，２Ａの取付け構造を備えた屋根構造としての屋根１０１の構成を説明する平面図である。
【００２２】
まず、図１を参照しながらユニット建物１０の構成から説明すると、このようなユニット建物１０は、工場で製作される複数の建物ユニット１Ａ−１Ｊを現地で連結することによって構築される。この建物ユニット１Ａ−１Ｊは、鉄骨ラーメン構造を構造体としている。
【００２３】
また、このユニット建物１０を構成する建物ユニット１Ａ（１Ｂ）と建物ユニット１Ｅ（１Ｆ）とは間隔を置いて設置されており、この間の空間が離し置きスペース１０２となる。
【００２４】
このようにして構築されるユニット建物１０は、アパートなどのような集合住宅として使用され、２階建てや３階建てなどの複層構造となる。そして、離し置きスペース１０２には、下層階と上層階とを行き来するための階段などが設けられる。また、この離し置きスペース１０２の上方には、屋根１０１が構築される。
【００２５】
この屋根１０１は、図１に示すように、建物ユニット１Ｂ，１Ｆ間に架け渡された屋根パネル２と、建物ユニット１Ａ，１Ｅ間に架け渡された屋根パネル２Ａとによって主に構成される。また、図９に示すように、屋根パネル２と屋根パネル２Ａとの間には目地２８（隙間）が介在される。
【００２６】
図３は、屋根パネル２の平面図を示している。この屋根パネル２は、パネルの主構造体となるパネル本体部２０と、パネル本体部２０の下面側を覆うように取り付けられる天井面材としての天井パネル２４（図９参照）と、屋根パネル２の一側縁に沿って取り付けられる見切り材４とを主に備えている。
【００２７】
このパネル本体部２０は、平面視長方形の外郭（周縁）を形成する短辺側の梁材としての一対の妻梁２１，２１と、長辺側の梁材としての一対の桁梁２２，２２とによって主に構成される。また、パネル本体部２０には、桁梁２２，２２間に妻梁２１に略平行に差し渡される複数の天井根太２３，・・・と、天井根太２３，・・・の下面側に固定される天井下地材２５とが設けられる。
【００２８】
妻梁２１及び桁梁２２は、図７，９に示すように断面視コ字形の鋼材によって形成される。また、天井根太２３は、桁梁２２の下側フランジに架け渡す端部が切り欠かれた断面視長方形の木材によって形成される。
【００２９】
さらに、天井下地材２５は、平面視長方形に形成されており、パネル本体部２０の下面側を塞ぐことができる枚数が配置され、天井根太２３，・・・に釘などによって固定される。
【００３０】
そして、この天井下地材２５の下方を覆うように天井パネル２４が配置される。この天井パネル２４は、図３，９，１１に示すように、妻梁２１及び桁梁２２の下部に取り付けられた固定金具２４ａ，２４ｂ，２４ｃ，２４ｄによって側縁２４１などが支持されて、天井下地材２５の下方に配置される。
【００３１】
また、屋根パネル２には、図３に示すように、パネル本体部２０を横断するように桁梁２２，２２間に界壁３が設けられる。この界壁３は、図１に示すように屋内側の界壁３Ａに繋がるような位置に設けられる。このように連続する界壁３，３Ａによって、ユニット建物１０に防火区画が形成される。
【００３２】
そして、図３に示すように、屋根パネル２の目地２８側の桁梁２２に沿って見切り材４を取り付ける。この見切り材４は、図９，１０に示すように、目地２８の幅よりも広い帯状に形成された目隠し板部４１と、その目隠し板部４１から上方に延出される垂直壁部４２とを主に備えた断面視逆Ｔ字形に成形される。
【００３３】
この見切り材４は、図１０に示すように一枚の鋼板（例えば、塩化ビニルで被覆された鋼板）を折り曲げ加工することによって製作される。すなわち、帯状の鋼板の一方の側縁を上方に折り曲げて折返し部４４を形成し、その折返し部４４に繋がる最下面となる目隠し板部４１の他方の側縁を上方に折り曲げて接続部４３を形成する。そして、目隠し板部４１の上面に幅の４分の１程度を重ねた接続部４３の側縁を上方に直角に折り曲げ、目隠し板部４１と略直交するような垂直壁部４２を形成する。
【００３４】
見切り材４は、図９に示すように、垂直壁部４２を桁梁２２の外側面に密着させてドリルねじなどで固定する。このように見切り材４をパネル本体部２０の側縁に固定すると、目隠し板部４１は天井パネル２４の下方にその下面と略平行に配置される。
【００３５】
また、目隠し板部４１は、屋根パネル２の天井パネル２４の側縁から目地２８を挟んで隣接する屋根パネル２Ａの天井パネル２４の側縁までを覆い隠すように配置される。
【００３６】
さらに、見切り材４の目隠し板部４１の上方には、ロックウール２６を取り付ける。このようにロックウール２６をあらかじめ取り付けておくことで、屋根パネル２，２Ａを設置するだけで、屋根パネル２，２Ａ間にロックウール２６が介在されることになる。
【００３７】
図３に示すように、屋根パネル２の妻梁２１には、複数のガイドプレート５，５が固定される。このガイドプレート５は、図１１に示すように、突出片５１と固定片５２とが略直交する側面視逆Ｌ字状の金具である。
【００３８】
ガイドプレート５の固定片５２を妻梁２１の外側面に密着させて溶接などで固定すると、突出片５１が外側に張り出されて建物ユニット１Ｂの天井梁１１の上面に載置可能になる。
【００３９】
また、突出片５１には、図３に示すように位置決め孔５１ａが穿孔されている。図１１に示すように、天井梁１１の上側フランジに穿孔された取付孔１１ａと突出片５１の位置決め孔５１ａとの位置合わせをおこない、ビス５３を位置決め孔５１ａ及び取付孔１１ａに捩じ込むことで、正確な位置に屋根パネル２が固定される。
【００４０】
なお、屋根パネル２Ａの構成は、図７に示すように庇部２７及び見切り材４周辺を除いては屋根パネル２の構成とほぼ同じであるため、詳細な説明は省略する。すなわち、屋根パネル２Ａには屋根パネル２以外に隣接する屋根パネルがないため、見切り材４の取り付けは行わない。また、屋根パネル２Ａの軒先側には、図９に示すように取付金具２７１とボルト２７２を使って庇部２７を取り付ける。
【００４１】
そして、屋根パネル２，２Ａの取り付けは、建物ユニット１Ａ，１Ｂ，１Ｅ，１Ｆの構造体を構成する柱１２，・・・の上部に対して行う。図５，６は、屋根パネル２，２Ａと柱１２との連結構造の詳細を示した図で、図５は断面図、図６は図５のＢ−Ｂ矢視方向で見た平面図である。
【００４２】
建物ユニット１Ａ，１Ｂ，１Ｅ，１Ｆの柱１２の上部には、図２に示すように離し置きスペース１０２に対面する側面に連結金具６が取り付けられる。連結金具６の第１側面６０ａは、柱１２上部の側面と略平行な面である。また、連結金具６の第２側面６０ｂは、柱１２側面に対向するパネル本体部２０の側面と略平行な面である。そして、連結金具６の第１側面６０ａの側部とそれに対向する第２側面６０ｂの側部は、連結側面６０ｃ，６０ｄによってそれぞれ繋がれる。
【００４３】
このような連結金具６は、屋根パネル２（２Ａ）側に配置される板状の座板部６ｂと、座板部６ｂに開口が塞がれるように固定される平面視略Ｕ字形のＵ字部６ａとによって構成できる。
【００４４】
このＵ字部６ａの第１側面６０ａには、図２に示すようにボルト６３，６３を挿通させるためのボルト孔６３ａ，６３ａが穿孔されている。また、第２側面６０ｂとなる座板部６ｂには、図２，４に示すように、ボルト６３，６３を挿通させるための作業孔６５，６５と、ボルト６１を挿通させるためのボルト孔６１ａが穿孔されている。
【００４５】
そして、図２に示すようにＵ字部６ａの底部を柱１２の側面に向けてボルト６３，６３を作業孔６５，６５から挿し込み、ボルト孔６３ａ，６３ａ及び柱１２の取付孔１２ａ，１２ａにボルト６３，６３の先端を捩じ込む。
【００４６】
ここで、柱１２の内部には、図５，６に示すように座金６４が取り付けられており、高さ方向に間隔を置いてＵ字部６ａの内側から挿入されたボルト６３，６３を座金６４に捩じ込むことによって、連結金具６が柱１２に固定される。
【００４７】
一方、図４に示すように、Ｕ字部６ａの上方開口から内側にナット６２を入れ、屋根パネル２（２Ａ）の妻梁２１の内側から挿入されたボルト６１をナット６２に捩じ込むことによって、屋根パネル２（２Ａ）が連結金具６に固定される。
【００４８】
そして、図４に示すように、連結金具６の第１側面６０ａと柱１２側面との間に隙間がある場合は板状のスペーサ６６を挿し込む。このスペーサ６６には、ボルト６３，６３と干渉しないように切欠部６６ａが設けられている。また、スペーサ６６は、１枚に限らず、隙間の広さに応じて入れなかったり、複数枚を重ねて入れたりすることができる。
【００４９】
また、図５，６に示すように、連結金具６の第２側面６０ｂと妻梁２１の側面との間に隙間がある場合は板状のスペーサ６７を挿し込む。このスペーサ６７には、ボルト６１と干渉しないように切欠部６７ａが設けられている。このスペーサ６７も、１枚に限らず、隙間の広さに応じて入れなかったり、複数枚を重ねて入れたりすることができる。
【００５０】
連結金具６が固定される屋根パネル２の隅角部は、図５，６に示すように補強プレート８によって内側から補強される。この補強プレート８は、妻梁２１の内側面に沿って取り付けられボルト６１の座金を兼ねる座金片８１と、桁梁２２の内側面に沿って取り付けられる接合片８２とによって、平面視略Ｌ字形に形成される。この補強プレート８は、妻梁２１及び桁梁２２の内側面に溶接などによって接合される。
【００５１】
そして、連結金具６の第１側面６０ａ側のボルト６３，６３を締め付けると、柱１２側面とスペーサ６６と第１側面６０ａとが密着して、連結金具６が柱１２に強固に固定される。
【００５２】
一方、連結金具６の第２側面６０ｂ側のボルト６１を締め付けると、補強プレート８の座金片８１と妻梁２１とスペーサ６７と第２側面６０ｂとが密着して、屋根パネル２（２Ａ）が連結金具６に強固に固定される。この結果、屋根パネル２（２Ａ）が、連結金具６を介して柱１２に強固に固定される。
【００５３】
次に、図７に示した庇部２７が取り付けられた屋根パネル２Ａを設置する前に、建物ユニット１Ａ，１Ｅ側に取り付けられる持出しアーム７，７について、図１，８を参照しながら説明する。
【００５４】
この持出しアーム７は、庇部２７の側縁を支持させるために、軒先側の建物ユニット１Ａ（１Ｅ）から外方に向けて延設させる。持出しアーム７は板状の部材で、建物ユニット１Ａの天井梁１１の側面に重ね合わせる部分と、外方に張り出される部分とがある。
【００５５】
持出しアーム７の端部は、図８に示すように、建物ユニット１Ａの天井梁１１にボルト７３，７３によって接合される。また、建物ユニット１Ａの柱１２上部に取り付けられたＬ金具７１にも持出しアーム７の側面が接合される。
【００５６】
さらに、連結金具６を取り付けるボルト６３，６３によっても柱１２上部に接合される。ここで、連結金具６と柱１２との間に介在される持出しアーム７は、隙間を埋めるスペーサの役割も果たすことになる。
【００５７】
また、持出しアーム７の張り出された部分には、庇部２７の側縁を載せる水平片７２が形成される。さらに、持出しアーム７の張り出された側面には、庇部２７の固定に使用される取付孔７４，・・・が複数、穿孔される。
【００５８】
次に、本実施の形態の屋根パネル２の取付け構造が設けられるユニット建物１０の構築方法について説明する。
【００５９】
まず、工場において、建物ユニット１Ａ−１Ｊ、屋根パネル２，２Ａ及び連結金具６を製作する。屋根パネル２，２Ａの下面には、天井パネル２４が取り付けられる。また、屋根パネル２の一側縁に沿って、見切り材４が取り付けられる。さらに、軒先側の屋根パネル２Ａには、図７に示すように庇部２７が取り付けられる。
【００６０】
一方、ユニット建物１０を構築する現地では、工場から搬送されてきた建物ユニット１Ａ−１Ｊが、図１に示すような位置に吊り降ろされる。ここで、建物ユニット１Ａ，１Ｅ間及び建物ユニット１Ｂ，１Ｆ間には、離し置きスペース１０２が形成される。
【００６１】
そして、図２に示すように、建物ユニット１Ａ，１Ｂ，１Ｅ，１Ｆの柱１２，・・・にボルト６３，・・・を使って連結金具６，・・・を取り付ける。また、軒先側の建物ユニット１Ａ，１Ｅからは、図８に示すような持出しアーム７を延設させてから連結金具６を取り付ける。
【００６２】
続いて、工場から搬送されてきた屋根パネル２をクレーンで吊り上げ、離し置きスペース１０２の上方から吊り降ろし、建物ユニット１Ｂ，１Ｆ間に屋根パネル２を架け渡す。
【００６３】
ここで、屋根パネル２の妻梁２１（２１）には、図３に示すように建物ユニット１Ｂ（１Ｆ）側に張り出された突出片５１，５１が取り付けられている。この突出片５１を、図１１に示すように建物ユニット１Ｂ（１Ｆ）の天井梁１１の上面に載せ、突出片５１の位置決め孔５１ａを天井梁１１の取付孔１１ａの位置に合わせてビス５３を捩じ込んで固定する。このような建物ユニット１Ｂ（１Ｆ）に隣接した位置の上からの作業は、建物ユニット１Ｂ（１Ｆ）を足場にしておこなうことができる。
【００６４】
続いて、図４に示すように、屋根パネル２を連結金具６にボルト６１を使って取り付ける。そして、連結金具６と柱１２との間に隙間があれば、その広さに合わせて必要な枚数のスペーサ６６を挿し込む。また、連結金具６と屋根パネル２との間にも隙間があれば、その広さに合わせて必要な枚数のスペーサ６７を挿し込む。
【００６５】
このようにして建物ユニット１Ｂ，１Ｆ間に屋根パネル２を架け渡す。また、その屋根パネル２の横に屋根パネル２Ａを吊り降ろし、建物ユニット１Ａ，１Ｅ間に架け渡す。
【００６６】
ここで、先に設置された屋根パネル２の屋根パネル２Ａ側の側縁には見切り材４が取り付けられている。このため、見切り材４の目隠し板部４１の上方に屋根パネル２Ａを降ろすだけで、屋根パネル２，２Ａ間の目地２８が図９に示すように目隠し板部４１によって覆い隠され、下方からの目地２８の視認が不能になる。
【００６７】
続いて、ボルト６１，６３を締め付けることによって、屋根パネル２，２Ａを連結金具６，・・・を介して建物ユニット１Ａ，１Ｂ，１Ｅ，１Ｆの柱１２，・・・に強固に固定する。また、庇部２７の側縁は、持出しアーム７の取付孔７４，・・・に挿入されたボルト（図示省略）によって固定する。
【００６８】
そして、屋根パネル２，２Ａの上面及び建物ユニット１Ａ−１Ｊの上面に連続して屋根材１４を葺いて屋根１０１を完成させる。また、ユニット建物１０の外周には、図１に示すように庇部２７に連続する外周庇部２７ａを設ける。
【００６９】
このようにして構築された建物ユニット１Ａ−１Ｊ及び離し置きスペース１０２の上方の屋根１０１には、太陽光パネルなどの屋外設備を設置する。例えば、ユニット建物１０の屋上の全面にわたって太陽光パネルを設置する。
【００７０】
次に、本実施の形態の屋根パネル２，２Ａの取付け構造及びそれを備えた屋根１０１の作用について説明する。
【００７１】
このように構成された本実施の形態の屋根パネル２，２Ａの取付け構造は、屋根パネル２，２Ａと建物ユニット１Ａ，１Ｂ，１Ｅ，１Ｆとの間に連結金具６，・・・を介在させる。そして、この連結金具６は、建物ユニット側の第１側面６０ａと屋根パネル側の第２側面６０ｂとが両側の連結側面６０ｃ，６０ｄによって繋がれた囲繞断面となっている。
【００７２】
このように屋根パネル２，２Ａと建物ユニット１Ａ，１Ｂ，１Ｅ，１Ｆとの間に連結金具６，・・・を介在させることで、誤差を吸収させ易くなって作業効率を上げることができる。
【００７３】
また、側面が囲まれた連結金具６は、板状の金具やＬ字形の金具に比べて剛性が高く、屋根パネル２，２Ａを建物ユニット１Ａ，１Ｂ，１Ｅ，１Ｆに強固に固定することができる。
【００７４】
また、連結金具６を建物ユニット１Ａ，１Ｂ，１Ｅ，１Ｆと屋根パネル２，２Ａの双方にボルト６１，６３によって接合する構成であれば、溶接接合に比べて簡単に接合作業をおこなうことができる。
【００７５】
さらに、建物ユニット１Ａ，１Ｂ，１Ｅ，１Ｆと屋根パネル２，２Ａのそれぞれに対して別個にボルト接合をおこなう構成であれば、建物ユニットに屋根パネルを直接接合する構成に比べて誤差を吸収できるようなゆとり（遊び）のある接合作業が可能になるので、接合作業を迅速におこなうことができる。
【００７６】
さらに、屋根パネル２，２Ａのパネル本体部２０の隅角部を補強プレート８によって補強し、その補強された箇所に連結金具６を接合するのであれば、連結金具６の強度に見合う力を屋根パネル２，２Ａとの間で伝達させることができる。
【００７７】
特に、パネル本体部２０と補強プレート８を貫通するボルト６１によって接合をおこなうことで、ボルト６１を介して伝達される力を直接、補強プレート８に負担させることができる。
【００７８】
また、建物ユニット１Ａ，１Ｂ，１Ｅ，１Ｆや屋根パネル２，２Ａと連結金具６との間にスペーサ６６，６７を介在させる構成であれば、隙間の広さに合わせた厚さ又は枚数のスペーサ６６，６７を介在させるだけで、連結金具６を建物ユニット１Ａ，１Ｂ，１Ｅ，１Ｆ及び屋根パネル２，２Ａに密着させた強固な連結にすることができる。
【００７９】
さらに、スペーサ６６，６７によって調整できる構成であれば、建物ユニット１Ａ，１Ｂ，１Ｅ，１Ｆと屋根パネル２，２Ａとの間に設置誤差や寸法誤差などがあったとしても、連結金具６を変更する必要がなく、容易にその誤差を埋めることができる。
【００８０】
また、このような屋根パネル２，２Ａの取付け構造を備えた屋根１０１は、屋根パネル２Ａの軒先側に庇部２７を取り付けることができる。また、建物ユニット１Ａ，１Ｅから延設された持出しアーム７，７に庇部２７の側縁を支持させる構成であれば、張り出し量が大きな庇部２７を取り付けることができる。
【００８１】
そして、このように強固に屋根パネル２，２Ａを固定できる構造であれば、屋根パネル２，２Ａの上にも重量がある太陽光パネルなどの屋外設備を設置することが可能になる。すなわち、隣接する建物ユニット１Ａ−１Ｊ上の屋根と屋根パネル２，２Ａ上の屋根１０１とを区別することなく、太陽光パネルを連続して設置することができる。
【００８２】
以上、図面を参照して、本発明の実施の形態を詳述してきたが、具体的な構成は、この実施の形態に限らず、本発明の要旨を逸脱しない程度の設計的変更は、本発明に含まれる。
【００８３】
例えば、前記実施の形態では、妻梁２１，２１と桁梁２２，２２とが主構造となるパネル本体部２０について説明したが、これに限定されるものではなく、枠体に板材を貼り合わせて形成されたものをパネルの主構造とするパネル本体部であってもよい。
【００８４】
また、前記実施の形態では、建物ユニット１Ａ，１Ｂ，１Ｅ，１Ｆの柱１２の上部に連結金具６を固定したが、これに限定されるものではなく、天井梁１１に固定する構成であってもよい。さらに、建物ユニット１Ａ，１Ｂ，１Ｅ，１Ｆの構造体がラーメン構造や骨組構造ではなく壁構造であっても、連結金具６の固定箇所を補強するなどして本発明を適用することができる。
【００８５】
また、前記実施の形態では、連結金具６をＵ字部６ａと座板部６ｂとによって製作したが、これに限定されるものではなく、四角筒状の鋼管、４枚の鋼板を平面視ロ字形又はローマ数字の２の字状に接合した構成であってもよい。
【００８６】
さらに、前記実施の形態では、連結金具６をボルト接合によって建物ユニット１Ａ，１Ｂ，１Ｅ，１Ｆ及び屋根パネル２，２Ａに固定したが、これに限定されるものではなく、溶接等の他の接合手段を使用することもできる。
【００８７】
また、前記実施の形態では、建物ユニット１Ａ，１Ｅから持出しアーム７，７を延設させて庇部２７の側縁を支持させたが、これに限定されるものではなく、庇部の張り出し量が小さい場合は持出しアーム７を設けなくてもよい。
【符号の説明】
【００８８】
１０            ユニット建物
１０１          屋根（屋根構造）
１０２          離し置きスペース
１Ａ，１Ｂ，１Ｅ，１Ｆ  建物ユニット
１２            柱
２，２Ａ        屋根パネル
２０            パネル本体部
２７            庇部
６              連結金具
６０ａ          第１側面
６０ｂ          第２側面
６０ｃ，６０ｄ  連結側面
６１，６３      ボルト
６６，６７      スペーサ
７              持出しアーム
８              補強プレート
【図１】
0005824334.tif 000002
【図２】
0005824334.tif 000003
【図３】
0005824334.tif 000004
【図４】
0005824334.tif 000005
【図５】
0005824334.tif 000006
【図６】
0005824334.tif 000007
【図７】
0005824334.tif 000008
【図８】
0005824334.tif 000009
【図９】
0005824334.tif 000010
【図１０】
0005824334.tif 000011
【図１１】
0005824334.tif 000012